(57)【要約】【課題】一つの側面では、Ｄ２Ｄ通信によるセルラー通信への信号干渉の影響を低減できる基地局装置、移動局装置及び無線通信システム等を提供することを目的とする。【解決手段】ｅＮＢ（２）は、ＣＵＥ（３Ａ）同士が自装置を介して無線通信を実行するセルラー通信及び、ＤＵＥ（３Ｂ）同士がｅＮＢを介さずに直接無線通信を実行するＤ２Ｄ通信に関する各ＵＥの無線リソースを監視するスケジューラ（３５）を有する。更に、スケジューラは、制御対象のＤＵＥがＣＵＥと同一の無線リソースを共用する場合に、Ｄ２Ｄ通信を実行するＤＵＥに対して、Ｄ２Ｄ通信の送信電力量を制御する制御フラグをＯＮに設定する。更に、スケジューラは、制御フラグを付加したＤＣＩフォーマットで制御対象のＤＵＥに通知する。各ＤＵＥは、受信した制御フラグがＯＮの場合、Ｄ２Ｄ通信の送信電力量が閾値以下になるように送信電力を制御する。【選択図】図５
2019004526.tif 000002
【特許請求の範囲】
【請求項１】
移動局装置と無線通信を行う基地局装置であって、
前記移動局装置が前記基地局装置を介さずに他の通信装置と無線通信を行う場合に、前記移動局装置が前記他の通信装置に信号を送信する送信電力に関する情報を含む制御情報を前記移動局装置に通知する制御部
を有し、
前記送信電力に関する情報は、前記送信電力を制御する方法を切り替えるための情報であることを特徴とする基地局装置。
【請求項２】
前記制御部は、前記移動局装置の無線状態を示す情報に応じて、前記移動局装置に前記制御情報を通知し、
前記無線状態を示す情報は、
前記移動局装置が前記基地局装置との無線通信と、前記他の通信装置との無線通信とで同一の無線リソースを共用しているか否かを示す共用有無の情報であることを特徴とする請求項１に記載の基地局装置。
【請求項３】
前記送信電力に関する情報は、所定値に応じて送信電力を決定する第１の方法と、パスロスを用いて送信電力を決定する第２の方法とを切替えるための情報であることを特徴とする請求項１に記載の基地局装置。
【請求項４】
前記制御部は、
前記移動局装置に対して、前記移動局装置が前記基地局装置を介さずに他の通信装置と無線通信を行うか否かの情報を含む信号を通知することを特徴とする請求項１〜３の何れか一つに記載の基地局装置。
【請求項５】
前記制御部は、
前記基地局装置を介さずに他の通信装置と無線通信する前記移動局装置が複数ある場合、複数の前記移動局装置に対して、前記制御情報を通知することを特徴とする請求項１〜３の何れか一つに記載の基地局装置。
【請求項６】
前記制御部は
前記基地局装置を介さずに他の通信装置と無線通信する前記移動局装置が複数ある場合、各移動局装置に割り当てられたサブフレーム毎に設定した前記制御情報を各移動局装置に通知することを特徴とする請求項１〜３の何れか一つに記載の基地局装置。
【請求項７】
基地局装置と無線通信を行うことが可能な移動局装置であって、
前記基地局装置を介さずに他の通信装置と信号を送信する際の送信電力の制御に関する情報を含む制御情報を受信する受信部と、
前記制御情報を受信した場合に、前記制御情報に応じて、第１の方法または、第２の方法で送信電力を決定するように制御する制御部と
を有することを特徴とする移動局装置。
【請求項８】
前記受信部は、前記移動局装置が前記基地局装置を介さずに他の通信装置と無線通信を行うか否かの情報を含む信号を受信し、
前記制御部は、
前記信号を受信した場合に、前記情報に応じて前記他の通信装置と通信する制御を実行することを特徴とする請求項７に記載の移動局装置。
【請求項９】
前記第１の方法は、固定値に基づいて送信電力を決定する方法であり、前記第２の方法
は、パスロスを用いて送信電力を決定する方法であることを特徴とする請求項７に記載の移動局装置。
【請求項１０】
移動局装置と、前記移動局装置と無線通信を行う基地局装置とを有し、
前記移動局装置が前記基地局装置を介して通信装置と無線通信を実行する第１通信または、前記移動局装置が前記基地局装置を介さずに他の通信装置と無線通信を実行する第２通信を実施する無線通信システムであって、
前記基地局装置は、
前記移動局装置が前記第２通信を行う場合に、前記移動局が前記他の通信装置に信号を送信する送信電力に関する情報を含む制御情報を前記移動局装置に通知する制御部
を有し、
前記送信電力に関する情報は、前記送信電力を制御する方法を切り替えるための情報であることを特徴とする無線通信システム。
【請求項１１】
前記第２通信を制御する制御情報は、送信電力に関する情報であることを特徴とする請求項１０に記載の無線通信システム。
【請求項１２】
前記切替に関する情報により、固定値に基づいて送信電力を決定する、またはパスロスを用いて送信電力を決定することを切替えることを特徴とする請求項１０に記載の無線通信システム。
【請求項１３】
移動局装置と無線通信を行う基地局装置における通信制御方法であって、
前記移動局装置が前記基地局装置を介さずに他の通信装置と無線通信を行う場合に、前記移動局装置が前記他の通信装置に信号を送信する送信電力を制御する方法を切り替えるための情報を含む制御情報を前記移動局装置に通知する
処理を実行することを特徴とする基地局装置の通信制御方法。
【請求項１４】
基地局装置と無線通信を行うことが可能な移動局装置にける通信制御方法であって、
前記基地局装置を介さずに他の通信装置に信号を送信する際の送信電力の制御に関する情報を含む制御情報を受信し、
前記制御情報を受信した場合に、前記制御情報に応じた第１の方法または、第２の方法で送信電力を決定するように制御する
処理を実行することを特徴とする移動局装置の通信制御方法。
【発明の詳細な説明】
【技術分野】
【０００１】
本発明は、基地局装置、移動局装置、無線通信システム、基地局装置の通信制御方法及び移動局装置の通信制御方法に関する。
【背景技術】
【０００２】
近年、基地局を経由して移動局同士で無線通信する通常通信であるセルラー通信の他に、基地局を経由することなく、移動局同士で直接無線通信する直接通信であるＤ２Ｄ（Device to Device）通信が知られている。移動局は、セルラー通信で使用する場合にＣＵＥ（Cellular User Equipment）として機能し、Ｄ２Ｄ通信で使用する場合にＤＵＥ（D2D User Equipment）として機能する。
【０００３】
そして、今後のシステムモデルとして、基地局（ｅＮＢ：eNodeB）がＣＵＥ及びＤＵＥに無線リソースを割り当てることで、ＣＵＥ及びＤＵＥが共存できるようにする。
【先行技術文献】
【特許文献】
【０００４】
【特許文献１】米国特許出願公開第２００９／０３２５６２５号明細書
【非特許文献】
【０００５】
【非特許文献１】“Dynamic Power Control Mechanism for Interference Coordination of Device-to-Device Communication in Cellular Networks”, Sungkyunkwan University, IEEE Ubiquitous and Future Networks (ICUFN), 2011 Third International Conference, 15-17 June 2011.
【発明の概要】
【発明が解決しようとする課題】
【０００６】
しかしながら、例えば、ＣＵＥとＤＵＥとが同一の無線リソースを共用した場合、Ｄ２Ｄ通信によってＣＵＥからのＵＬ（Up Link）信号が干渉されることが想定される。つま
り、Ｄ２Ｄ通信によるセルラー通信への信号干渉の影響が大である。
【０００７】
一つの側面では、Ｄ２Ｄ通信によるセルラー通信への信号干渉の影響を低減できる基地局装置、移動局装置及び無線通信システム等を提供することを目的とする。
【課題を解決するための手段】
【０００８】
一つの態様の基地局装置は、制御部を有する。制御部は、移動局装置同士が基地局装置を介して無線通信を実行する第１通信及び、前記移動局装置同士が前記基地局装置を介さずに直接無線通信を実行する第２通信に関する各移動局装置の無線状態を示す情報に基づき、前記第２通信を実行する前記移動局装置に対して、前記第２通信を制御する制御情報を通知する。
【発明の効果】
【０００９】
一つの態様では、第２通信による第１通信への信号干渉の影響を低減できる。
【図面の簡単な説明】
【００１０】
【図１】図１は、実施例１の無線システムの一例を示す説明図である。
【図２】図２は、実施例１のｅＮＢの一例を示すブロック図である。
【図３】図３は、実施例１のＵＥの一例を示すブロック図である。
【図４】図４は、実施例１の制御フラグを付加するＤＣＩフォーマットの一例を示す説明図である。
【図５】図５は、実施例１の通信制御処理に関わるＤＵＥの処理動作の一例を示すフローチャートである。
【図６】図６は、実施例２のｅＮＢの一例を示すブロック図である。
【図７】図７は、位置判定部の一例を示すブロック図である。
【図８】図８は、実施例３の制御フラグを付加する専用フォーマットの一例を示す説明図である。
【図９】図９は、実施例４の制御フラグを付加するＤＣＩフォーマットの一例を示す説明図である。
【図１０】図１０は、実施例５の制御フラグを付加するＤＣＩフォーマットの一例を示す説明図である。
【図１１】図１１は、実施例６の通信制御処理に関わるＤＵＥの処理動作の一例を示すフローチャートである。
【図１２】図１２は、実施例７の通信制御処理に関わるＤＵＥの処理動作の一例を示すフローチャートである。
【発明を実施するための形態】
【００１１】
以下、図面に基づいて、本願の開示する基地局装置、移動局装置、無線通信システム、基地局装置の通信制御方法及び移動局装置の通信制御方法の実施例を詳細に説明する。尚、各実施例により、開示技術が限定されるものではない。また、以下に示す各実施例は、矛盾を起こさない範囲で適宜組み合わせても良い。
【実施例１】
【００１２】
図１は、実施例１の無線システムの一例を示す説明図である。図１に示す無線システム１は、ｅＮＢ２と、複数のＵＥ（User Equipment）３とを有する。ＵＥ３は、セルラー通信等の第１通信又は、Ｄ２Ｄ通信等の第２通信を切替可能に実行できる機能を有する。
ＵＥ３は、セルラー通信で使用する場合にＣＵＥ３Ａとして機能し、Ｄ２Ｄ通信で使用する場合にＤＵＥ３Ｂとして機能する。無線システム１では、ＣＵＥ３Ａ及びＤＵＥ３Ｂが使用可能な共存できる環境下にあるものとする。
【００１３】
図２は、実施例１のｅＮＢ２の一例を示すブロック図である。図２に示すｅＮＢ２は、アンテナ１１と、ＲＦ(Radio Frequency)回路１２と、メモリ１３と、プロセッサ１４と
を有する。アンテナ１１は、セルラー通信又はＤ２Ｄ通信の無線信号を送受信する。ＲＦ回路１２は、アンテナ１１で送受信する無線信号に対して各種信号処理を施す回路である。メモリ１３は、各種情報を記憶する領域である。プロセッサ１４は、ｅＮＢ２全体を制御する。
【００１４】
ＲＦ回路１２は、切替部２１と、受信部２２と、送信部２３とを有する。切替部２１は、アンテナ１１との間で受信部２２及び送信部２３を切替えるスイッチである。受信部２２は、セルラー通信又はＤ２Ｄ通信の無線信号を受信する通信インタフェースである。送信部２３は、セルラー通信又はＤ２Ｄ通信の無線信号を送信する通信インタフェースである。メモリ１３は、セルラー通信又はＤ２Ｄ通信に関わる使用周波数等の無線リソースを記憶すると共に、例えば、ＵＥ３毎に割り当てる、使用周波数等の無線リソースを管理する割当情報を記憶している。
【００１５】
プロセッサ１４は、推定部３１と、データ信号復号部３２と、制御信号復号部３３と、品質算出部３４と、スケジューラ３５とを有する。更に、プロセッサ１４は、データ信号生成部３６と、制御信号生成部３７と、ＲＳ生成部３８と、データ信号符号化部３９と、
制御信号符号化部４０と、割当部４１とを有する。
【００１６】
推定部３１は、受信信号内に挿入されたＲＳ(Reference Signal)信号に基づき、受信信号のチャネル状態から使用するチャネルのチャネル推定値を推定する。データ信号復号部３２は、チャネル推定値に基づき、受信信号からデータ信号を復調して復号化する。制御信号復号部３３は、チャネル推定値に基づき、受信信号から、例えばＤＣＩ（Downlink Control Information）フォーマット等の制御信号を復調して復号化する。尚、ＤＣＩフォーマットは、ＤＬ（Down Link）の制御コマンドである。
【００１７】
品質算出部３４は、チャネル推定値から受信品質を算出する。スケジューラ３５は、品質算出部の受信品質、データ信号復号部３２の復号結果、制御信号復号部３３の復号結果に基づき、収容するＵＥ３にセルラー通信やＤ２Ｄ通信に使用する無線リソースを割り当てる割当情報を生成する。そして、スケジューラ３５は、生成した割当情報をメモリ１３に記憶する。
【００１８】
データ信号生成部３６は、要求に応じてデータ信号を生成する。制御信号生成部３７は、データ信号の復号結果、制御信号の復号結果や受信品質に基づき、制御信号を生成する。また、制御信号生成部３７は、要求に応じて制御信号の内容を編集する。ＲＳ生成部３８は、要求に応じてＲＳ信号を生成する。データ信号符号化部３９は、データ信号生成部３６で生成したデータ信号を符号化して変調する。制御信号符号化部４０は、生成した制御信号を符号化して変調する。割当部４１は、割当情報に基づき、データ信号、制御信号やＲＳ信号に無線リソースを割り当てる。また、制御信号生成部３７は、スケジューラ３５で生成した割当情報をＤＣＩフォーマットに載せ、ＤＣＩフォーマットをＵＥ３に送信する。
【００１９】
スケジューラ３５は、制御対象のＤＵＥ３ＢがＣＵＥ３Ａと同一の無線リソースを共用しているか否かを判定する。スケジューラ３５は、制御対象のＤＵＥ３ＢがＣＵＥ３Ａと同一の無線リソースを共用している場合、制御対象のＤＵＥ３Ｂの制御フラグをＯＮに設定する。スケジューラ３５は、制御対象のＤＵＥ３ＢがＣＵＥ３Ａと同一の無線リソースを共用していない場合、制御対象のＤＵＥ３Ｂの制御フラグをＯＦＦに設定する。制御信号生成部３７は、例えば、ＵＬグラント毎に、ＵＬグラントを格納するＤＣＩフォーマットを生成する。尚、ＵＬグラントは、例えば、Ｄ２Ｄ通信の通信を許可する際の制御信号である。そして、制御信号生成部３７は、ＤＣＩフォーマットに、制御対象のＤＵＥ３Ｂの制御フラグを付加し、制御フラグを付加したＤＣＩフォーマットを送信部２３からＵＬグラントのＵＥ３に送信する。
【００２０】
図３は、ＵＥ３の一例を示すブロック図である。図３に示すＵＥ３は、アンテナ５１と、ＲＦ回路５２と、メモリ５３と、プロセッサ５４とを有する。アンテナ５１は、セルラー通信又はＤ２Ｄ通信の無線信号を送受信する。ＲＦ回路５２は、無線信号に対して各種信号処理を施す回路である。メモリ５３は、ｅＮＢ２からの割当情報等の各種情報を記憶する領域である。プロセッサ５４は、ＵＥ３全体を制御する。
【００２１】
ＲＦ回路５２は、切替部６１と、受信部６２と、送信部６３とを有する。切替部６１は、アンテナ５１との間で受信部６２及び送信部６３を切替えるスイッチである。受信部６２は、セルラー通信又はＤ２Ｄ通信の無線信号を受信する通信インタフェースである。送信部６３は、セルラー通信又はＤ２Ｄ通信の無線信号を送信する通信インタフェースである。
【００２２】
プロセッサ５４は、推定部７１と、データ信号復号部７２と、制御信号復号部７３と、品質算出部７４と、データ信号生成部７５と、制御信号生成部７６と、ＲＳ生成部７７と
を有する。更に、プロセッサ５４は、データ信号符号化部７８と、制御信号符号化部７９と、割当部８０と、通信制御部８１とを有する。推定部７１は、受信信号内に挿入されたＲＳ信号に基づきチャネル推定値を推定する。データ信号復号部７２は、チャネル推定値に基づき、受信信号からデータ信号を復調して復号化する。制御信号復号部７３は、受信信号から制御信号を復調して復号化する。
【００２３】
品質算出部７４は、チャネル推定値から受信品質を算出する。データ信号生成部７５は、要求に応じてデータ信号を生成する。制御信号生成部７６は、データ信号の復号結果、制御信号の復号結果や受信品質に基づき、制御信号を生成する。ＲＳ生成部７７は、ＲＳ信号を生成する。データ信号符号化部７８は、データ信号を符号化して変調する。制御信号符号化部７９は、制御信号を符号化して変調する。割当部８０は、ｅＮＢ２からの割当情報に基づき、データ信号、制御信号やＲＳ信号に無線リソースを割り当て、データ信号、制御信号やＲＳ信号を送信部６３に伝送する。
【００２４】
通信制御部８１は、制御信号復号化部７３でｅＮＢ２からの制御信号を復号化し、制御信号のＤＣＩフォーマットに付加した自分宛の制御フラグがＯＮであるか否かを判定する。通信制御部８１は、制御フラグがＯＮの場合、送信部６３の送信電力を制御する。
【００２５】
通信制御部８１は、Ｄ２Ｄ通信のＯＬ−ＴＰＣの（数１）を用いて、Ｄ２Ｄ通信の送信電力量Ｐｄを仮の送信電力量として算出する（３ＧＰＰＴＳ３６．２１３ ｖ１２．１．
０参照）。
【００２６】
【数１】
2019004526.tif 000003
【００２７】
更に、通信制御部８１は、ｅＮＢ２とのパスロスＰＬｃを算出する。尚、パスロスＰＬｃは、ＲＳ信号の送信電力量から、上位レイヤのフィルタを掛けたＲＳＲＰ（Reference Signal Received Power）を差し引くことで算出する。ＲＳ信号の送信電力量は、ｅＮＢ
２からＵＥ３に上位レイヤで通知されるものである。通信制御部８１は、（Ｐｄ−ＰＬｃ）でｅＮＢ２側のＤＵＥ３Ｂの予想受信電力量を算出する。更に、通信制御部８１は、予想受信電力量（Ｐｄ−ＰＬｃ）が閾値Ｔｈ以下であるか否かを判定する。尚、閾値Ｔｈは、ｅＮＢ２とＵＥ３との間でＣＵＥ３ＡのＵＬ信号に信号干渉しない程度の送信電力量に相当し、事前に算出しておくものとする。
【００２８】
通信制御部８１は、予想受信電力量（Ｐｄ−ＰＬｃ）が閾値Ｔｈ以下の場合、算出した送信電力量Ｐｄを低減する必要はなく、Ｄ２Ｄ通信の送信電力量をＰｄに設定すべく、送信部６３の送信電力を制御する。また、通信制御部８１は、予想受信電力量（Ｐｄ−ＰＬ
ｃ）が閾値Ｔｈ以下でない場合、Ｄ２Ｄ通信の送信電力量を閾値Ｔｈに設定すべく、送信部６３の送信電力を制御する。通信制御部８１は、制御フラグがＯＮでない場合、Ｄ２Ｄ通信の送信電力量をＰｄに設定すべく、送信部６３の送信電力を制御する。
【００２９】
図４は、制御フラグを付加するＤＣＩフォーマットの一例を示す説明図である。尚、ＤＣＩフォーマットは、例えば、DCI format“0”である。図４に示すＤＣＩフォーマット
９０は、Carrier Indicator（０又は３ビット）９１、Flag for format0/format1A differentiation（１ビット）９２、Frequency hopping flag（１ビット）９３を有する。ＤＣＩフォーマット９０は、Resource block assignment and hopping resource allocation
（最大１２ビット）９４、Modulation and coding scheme and redundancy version（５
ビット）９５、New data indicator（１ビット）９６を有する。更に、ＤＣＩフォーマット９０は、TPC command for scheduled PUSCH（２ビット）９７、Cyclic shift for DM RS and OCC index（３ビット）９８、UL index（２ビット）９９、Downlink Assignment Index (DAI)（２ビット）１００を有する。更に、ＤＣＩフォーマット９０は、CSI requests（１又は２ビット）１０１及びResource allocation type（１ビット）１０２を有する。制御信号生成部７６は、ＤＣＩフォーマット９０を生成し、ＤＣＩフォーマット９０に、制御対象のＵＥ３の個数分の制御フラグ１０３を付加する。
【００３０】
次に実施例１の無線システム１の動作について説明する。ｅＮＢ２のスケジューラ３５は、制御対象のＤＵＥ３ＢがＣＵＥ３Ａと同一の無線リソースを共用しているか否かを判定し、制御対象のＤＵＥ３ＢがＣＵＥ３Ａと同一の無線リソースを共用している場合に、制御対象のＤＵＥ３Ｂの制御フラグをＯＮに設定する。また、スケジューラ３５は、制御対象のＤＵＥ３ＢがＣＵＥ３Ａと同一の無線リソースを共用していない場合に、制御対象のＤＵＥ３Ｂの制御フラグをＯＦＦに設定する。そして、制御信号生成部７６は、例えば、Ｄ２Ｄ通信を許可するＵＬグラント毎に、当該ＵＬグラントを格納するＤＣＩフォーマットを生成し、生成したＤＣＩフォーマットに制御対象のＤＵＥ３Ｂの制御フラグを付加する。そして、送信部２３は、制御フラグを付加したＤＣＩフォーマットを制御対象のＤＵＥ３Ｂに送信する。
【００３１】
図５は、実施例１の通信制御処理に関わるＤＵＥ３Ｂの処理動作の一例を示すフローチャートである。図５に示す通信制御処理は、自分宛の制御フラグに基づきＤ２Ｄ通信の送信電力を制御するＤＵＥ３Ｂ側の処理である。
【００３２】
図５においてＤＵＥ３Ｂの通信制御部８１は、Ｄ２Ｄ通信の送信電力量Ｐｄを算出し（ステップＳ１１）、受信したＤＣＩフォーマット９０に付加された自分宛の制御フラグ１０３がＯＮであるか否かを判定する（ステップＳ１２）。通信制御部８１は、自分宛の制御フラグ１０３がＯＮの場合（ステップＳ１２肯定）、ｅＮＢ２とのパスロスＰＬｃを算出する（ステップＳ１３）。
【００３３】
通信制御部８１は、Ｄ２Ｄ通信の送信電力量ＰｄからパスロスＰＬｃを差し引いたｅＮＢ２側の予想受信電力量（Ｐｄ−ＰＬｃ）が閾値Ｔｈ以下であるか否かを判定する（ステップＳ１４）。通信制御部８１は、予想受信電力量（Ｐｄ−ＰＬｃ）が閾値Ｔｈ以下の場合（ステップＳ１４肯定）、Ｄ２Ｄ通信の送信電力量をＰｄに設定すべく、送信部６３内の送信電力を制御してＤ２Ｄ通信を実行し（ステップＳ１５）、図５に示す処理動作を終了する。
【００３４】
通信制御部８１は、予想受信電力量（Ｐｄ−ＰＬｃ）が閾値Ｔｈ以下でない場合（ステップＳ１４否定）、Ｄ２Ｄ通信による信号干渉の影響があると判断する。そして、通信制御部８１は、Ｄ２Ｄ通信の送信電力量を閾値Ｔｈに設定すべく、送信部６３内の送信電力を制御してＤ２Ｄ通信を実行し（ステップＳ１６）、図５に示す処理動作を終了する。
【００３５】
通信制御部８１は、自分宛の制御フラグ１０３がＯＮでない場合（ステップＳ１２否定）、Ｄ２Ｄ通信による信号干渉の影響がないと判断する。そして、通信制御部８１は、Ｄ２Ｄ通信の送信電力量をＰｄに設定すべく、送信部６３内の送信電力を制御してＤ２Ｄ通信を実行し（ステップＳ１７）、図５に示す処理動作を終了する。つまり、ＤＵＥ３Ｂは、対向するＤＵＥ３Ｂとの間でＴＰＣ（Transmission Power Control）を実行することでＤ２Ｄ通信を実現する。
【００３６】
図５に示す通信制御処理を実行するＤＵＥ３Ｂは、制御フラグ１０３がＯＮ、かつ、予想受信電力量（Ｐｄ−ＰＬｃ）が閾値Ｔｈ以下の場合、送信電力量をＰｄに設定すべく、送信部６３の送信電力を制御する。その結果、Ｄ２Ｄ通信によるＣＵＥ３ＡへのＵＬ信号の信号干渉を低減できる。
【００３７】
ＤＵＥ３Ｂは、制御フラグ１０３がＯＮ、かつ、予想受信電力量（Ｐｄ−ＰＬｃ）が閾値Ｔｈ以下でない場合、送信電力量を閾値Ｔｈに設定すべく、送信部６３の送信電力を制御する。その結果、Ｄ２Ｄ通信によるＣＵＥ３ＡへのＵＬ信号の信号干渉を低減できる。
【００３８】
ＤＵＥ３Ｂは、制御フラグ１０３がＯＦＦの場合、送信電力量をＰｄに設定すべく、送信部６３の送信出力を制御する。
【００３９】
実施例１のｅＮＢ２は、制御対象のＤＵＥ３ＢがＣＵＥ３Ａと同一の無線リソースを共用している場合、制御対象のＤＵＥ３Ｂの制御フラグ１０３をＯＮに設定する。また、ｅＮＢ２は、制御対象のＤＵＥ３ＢがＣＵＥ３Ａと同一の無線リソースを共用していない場合、制御対象のＤＵＥ３Ｂの制御フラグ１０３をＯＦＦに設定する。ｅＮＢ２は、制御対象のＤＵＥ３Ｂの個数分の制御フラグ１０３をＤＣＩフォーマット９０に付加して制御対象のＤＵＥ３Ｂに通知する。その結果、ＤＵＥ３Ｂは、自分宛の制御フラグ１０３がＯＮの場合、Ｄ２Ｄ通信の送信電力を制御することで、Ｄ２Ｄ通信によるセルラー通信への信号干渉を低減できる。
【００４０】
更に、ＤＵＥ３Ｂは、制御フラグ１０３がＯＮ、かつ、予想受信電力量（Ｐｄ−ＰＬｃ）が閾値Ｔｈ以下の場合、Ｄ２Ｄ通信の送信電力量をＰｄに設定すべく、送信部６３の送信電力を制御する。その結果、Ｄ２Ｄ通信によるＣＵＥ３ＡのＵＬ信号への信号干渉を低減できる。
【００４１】
ＤＵＥ３Ｂは、制御フラグ１０３がＯＮ、かつ、予想受信電力量（Ｐｄ−ＰＬｃ）が閾値Ｔｈ以下でない場合、Ｄ２Ｄ通信の送信電力量を閾値Ｔｈに設定すべく、送信部６３の送信電力を制御する。その結果、Ｄ２Ｄ通信によるＣＵＥ３ＡのＵＬ信号への信号干渉を低減できる。
【００４２】
実施例１では、ＣＵＥ３Ａ及びＤＵＥ３Ｂが同一の無線リソースを共用できるため、無線リソースの使用効率を高めることができる。
【００４３】
実施例１では、制御対象のＤＵＥ３ＢがＣＵＥ３Ａと同一の無線リソースを共用している場合に、パスロスＰＬｃを考慮した予想受信電力量に基づく送信電力制御を実行するため、ＯＬ−ＴＰＣを採用した場合に比較して不要な送信電力制御の頻度を低減できる。尚、ＯＬ−ＴＰＣ（Open Loop Transmission Power Control）は、ＣＵＥ３Ａへの信号干渉がない環境下でも、常時、送信電力制御を行うため、Ｄ２Ｄ通信のスループットが低下する。
【００４４】
しかも、実施例１では、無線リソースのスケジュール状況が刻々変動する場合でも、不
必要にＤ２Ｄ通信の送信電力を低下することなく、状況に応じてＤ２Ｄ通信によるセルラー通信への信号干渉を低減できる。
【００４５】
尚、上記実施例１のｅＮＢ２は、制御対象のＤＵＥ３ＢがＣＵＥ３Ａと同一の無線リソースと共用しているか否かで制御フラグ１０３をＯＮ／ＯＦＦしたが、ＤＵＥ３ＢがｅＮＢ２に隣接しているか否かで制御フラグ１０３をＯＮ／ＯＦＦするようにしても良い。そこで、この場合の実施の形態につき、実施例２として以下に説明する。
【実施例２】
【００４６】
図６は、実施例２のｅＮＢ２Ａの一例を示すブロック図である。尚、実施例１の無線システム１と同一の構成には同一符号を付すことで、その重複する構成及び動作の説明については省略する。図６に示すｅＮＢ２Ａと図２に示すｅＮＢ２とが異なるところは、位置判定部４２を追加した点にある。位置判定部４２は、ＤＵＥ３Ｂ及びｅＮＢ２Ａの位置情報に基づき、ＤＵＥ３ＢがｅＮＢ２Ａに隣接しているか否かを判定する。スケジューラ３５は、位置判定部４２でＤＵＥ３ＢがｅＮＢ２Ａに隣接している場合に、当該ＤＵＥ３Ｂの制御フラグ１０３をＯＮに設定する。
【００４７】
図７は、位置判定部４２の一例を示す説明図である。位置判定部４２は、位置比較部４２Ａと、品質比較部４２Ｂとを有する。位置比較部４２Ａは、Ｄ２Ｄ通信のＤＵＥ３Ｂの位置情報と、ｅＮＢ２Ａの位置情報とを比較し、その距離が所定距離内の場合、ＤＵＥ３ＢとｅＮＢ２Ａとが隣接していると判断する。品質比較部４２Ｂは、例えば、パスロスやＲＳＲＰ(Reference Signal Received Power)等のＤ２Ｄ通信の受信品質と、品質閾値と
を比較し、受信品質が品質閾値を超えた場合にＤＵＥ３ＢとｅＮＢ２Ａとが隣接していると判断する。
【００４８】
スケジューラ３５は、位置判定部４２でＤＵＥ３ＢがｅＮＢ２Ａに隣接していると判定した場合、該当ＤＵＥ３Ｂの制御フラグ１０３をＯＮに設定する。スケジューラ３５は、位置判定部４２でＤＵＥ３ＢがｅＮＢ２Ａに隣接していないと判定した場合、該当ＤＵＥ３Ｂの制御フラグ１０３をＯＦＦに設定する。そして、制御信号生成部７６は、ＤＣＩフォーマット９０に制御対象のＤＵＥ３Ｂの個数分の制御フラグ１０３を付加する。そして、送信部２３は、制御フラグ１０３を付加したＤＣＩフォーマット９０を制御対象のＤＵＥ３Ｂに送信する。
【００４９】
ＤＵＥ３Ｂは、制御フラグ１０３がＯＮ、かつ、予想受信電力量（Ｐｄ−ＰＬｃ）が閾値Ｔｈ以下の場合、Ｄ２Ｄ通信の送信電力量をＰｄに設定すべく、送信部６３の送信電力を制御する。その結果、Ｄ２Ｄ通信によるＣＵＥ３ＡへのＵＬ信号の信号干渉を低減できる。
【００５０】
ＤＵＥ３Ｂは、制御フラグ１０３がＯＮ、かつ、予想受信電力量（Ｐｄ−ＰＬｃ）が閾値Ｔｈ以下でない場合、Ｄ２Ｄ通信の送信電力量を閾値Ｔｈに設定すべく、送信部６３の送信電力を制御する。その結果、Ｄ２Ｄ通信によるＣＵＥ３ＡへのＵＬ信号の信号干渉を低減できる。
【００５１】
実施例２のｅＮＢ２Ａは、ＤＵＥ３ＢがｅＮＢ２Ａに隣接している場合、制御対象のＤＵＥ３Ｂの制御フラグ１０３をＯＮに設定し、ＤＵＥ３ＢがｅＮＢ２Ａに隣接していない場合、制御対象のＤＵＥ３Ｂの制御フラグ１０３をＯＦＦに設定する。ｅＮＢ２Ａは、制御対象のＤＵＥ３Ｂの個数分の制御フラグ１０３をＤＣＩフォーマット９０に付加して制御対象のＤＵＥ３Ｂに通知する。その結果、ＤＵＥ３Ｂは、自分宛の制御フラグ１０３がＯＮの場合、Ｄ２Ｄ通信の送信電力を制御することで、Ｄ２Ｄ通信によるセルラー通信への信号干渉を低減できる。
【００５２】
更に、ＤＵＥ３Ｂは、制御フラグ１０３がＯＮ、かつ、予想受信電力量（Ｐｄ−ＰＬｃ）が閾値Ｔｈ以下の場合、Ｄ２Ｄ通信の送信電力量をＰｄに設定すべく、送信部６３の送信電力を制御する。その結果、ＤＵＥ３ＢがｅＮＢ２Ａに隣接した場合でも、Ｄ２Ｄ通信によるＣＵＥ３ＡのＵＬ信号への信号干渉を低減できる。
【００５３】
ＤＵＥ３Ｂは、制御フラグ１０３がＯＮ、かつ、予想受信電力量（Ｐｄ−ＰＬｃ）が閾値Ｔｈ以下でない場合、Ｄ２Ｄ通信の送信電力量を閾値Ｔｈに設定すべく、送信部６３の送信電力を制御する。その結果、ＤＵＥ３ＢがｅＮＢ２Ａに隣接した場合でも、Ｄ２Ｄ通信によるＣＵＥ３ＡのＵＬ信号への信号干渉を低減できる。
【００５４】
例えば、ＤＵＥ３Ｂ同士でＤ２Ｄ通信の送信電力を低減した場合でも、セルエリア端付近のＣＵＥ３ＡからＵＬ信号がｅＮＢ２Ａに到達する時点の受信レベルが低く、Ｄ２Ｄ通信の影響を受ける可能性がある。そこで、実施例２では、ＤＵＥ３ＡがｅＮＢ２Ａに隣接した場合でも、Ｄ２Ｄ通信の送信電力を低減するようにしたので、Ｄ２Ｄ通信によるＣＵＥ３ＡのＵＬ信号への信号干渉を低減できる。
【００５５】
また、上記実施例２では、位置判定部４２で制御対象のＤＵＥ３ＢがｅＮＢ２Ａに隣接しているか否かの隣接関係に基づき、制御対象のＤＵＥ３Ｂの制御フラグ１０３を設定した。しかしながら、隣接関係の他に、上記実施例１と同様に、制御対象のＤＵＥ３ＢがＣＵＥ３Ａと同一の無線リソースを共用しているか否かの共用有無に基づき、制御対象のＤＵＥ３Ｂの制御フラグ１０３を設定しても良い。
【００５６】
尚、上記実施例１及び２では、ＤＣＩフォーマット９０に制御対象のＵＥ個数分の制御フラグ１０３を付加した。しかしながら、Ｄ２Ｄ通信では不要な制御情報、例えば、New data indicator９６等の代わりに制御フラグ１０３を割り当てるようにしても良い。尚、New data indicator９６は、例えば、ブロードキャスト送信時に再送しないなら不要となる制御情報である。
【００５７】
また、上記実施例１では、制御対象のＵＥ個数分の制御フラグ１０３をＤＣＩフォーマット９０に付加した。しかしながら、制御対象のＵＥ個数が増加すると、その分、ＤＣＩフォーマットに付加する制御フラグの個数も増えることになる。そこで、専用フォーマットに制御対象のＤＵＥ３Ｂ毎の制御フラグを配置し、専用フォーマット内のＣＲＣ（Cyclic Redundancy Check）を使用して自分宛の制御フラグがＤＵＥ３Ｂ側で識別できるよう
にしても良い。そこで、この場合の実施の形態につき、実施例３として以下に説明する。尚、上記実施例１の無線システム１と同一の構成には同一符号を付すことで、その重複する構成及び動作の説明については省略する。
【実施例３】
【００５８】
図８は、実施例３の制御フラグを付加する専用フォーマットの一例を示す説明図である。図８に示す専用フォーマット１１０は、制御対象のＤＵＥ３Ｂ毎に設定したビット単位の制御フラグ１１１と、自分宛の制御フラグ１１１を識別できるように設定したＣＲＣ１１２とを有する。
【００５９】
スケジューラ３５は、専用フォーマット１１０内に制御対象のＤＵＥ３Ｂの制御フラグ１１１を順次設定する。制御信号生成部３７は、専用フォーマット１１０内の制御対象のＤＵＥ３Ｂの制御フラグ１１１を識別可能にするＣＲＣ１１２を設定する。尚、ＣＲＣ１１２は、各ＤＵＥ３Ｂに割り当てられたＣ−ＲＮＴＩ（Cell-Radio Network Temporary Identifier）でスクランブル化されているため、自分宛の制御フラグ１１１が識別可能と
なる。制御信号生成部３７は、制御対象のＤＵＥ３Ｂの状態変化を検出すると、その都度
、制御対象のＤＵＥ３Ｂの制御フラグ１１１を専用フォーマット１１０内にダイナミックに設定する。そして、送信部２３は、専用フォーマット１１０を制御対象の各ＤＵＥ３Ｂに送信する。
【００６０】
ＤＵＥ３Ｂは、専用フォーマット１１０を受信した場合、専用フォーマット１１０内のＣＲＣ１１２に基づき、自分宛の制御フラグ１１１を専用フォーマット１１０から得る。ＤＵＥ３Ｂは、自分宛の制御フラグ１１１がＯＮ、かつ、予想受信電力量（Ｐｄ−ＰＬｃ）が閾値Ｔｈ以下の場合、Ｄ２Ｄ通信の送信電力量がＰｄに設定すべく、送信部６３の送信電力を制御する。その結果、Ｄ２Ｄ通信によるＣＵＥ３ＡのＵＬ信号への信号干渉を低減できる。
【００６１】
ＤＵＥ３Ｂは、自分宛の制御フラグがＯＮ、かつ、予想受信電力量（Ｐｄ−ＰＬｃ）が閾値Ｔｈ以下でない場合、Ｄ２Ｄ通信の送信電力量が閾値Ｔｈに設定すべく、送信部６３の送信電力を制御する。その結果、Ｄ２Ｄ通信によるＣＵＥ３ＡのＵＬ信号への信号干渉を低減できる。
【００６２】
しかも、ｅＮＢ２は、専用フォーマット１１０で制御フラグ１１１をダイナミックに制御対象のＤＵＥ３Ｂに送信する。その結果、ＵＬグラント毎にＤＣＩフォーマットに付加してスタッティックに制御フラグを送信する場合に比較して、スケジュール状況の変化に応じて制御フラグ１１１を制御対象の各ＤＵＥ３Ｂに送信できる。
【００６３】
また、上記実施例１では、ＤＣＩフォーマット９０に制御対象のＤＵＥ３Ｂの個数分の制御フラグ１０３を付加したが、ＤＵＥ３Ｂ毎に制御フラグ１０３を設定するのではなく、各ＤＵＥ３Ｂに割り当てるサブフレーム単位で制御フラグを設定しても良い。そこで、この場合の実施の形態につき、実施例４として以下に説明する。尚、上記実施例１の無線システム１と同一の構成には同一符号を付すことで、その重複する構成及び動作の説明については省略する。
【実施例４】
【００６４】
図９は、実施例４の制御フラグを付加するＤＣＩフォーマットの一例を示す説明図である。図９に示すＤＣＩフォーマット９０Ａにサブフレーム単位の制御フラグ１０３Ａを付加する。スケジューラ３５は、サブフレームを割り当てた複数のＵＥ３の内、制御対象のＤＵＥ３Ｂが１台でもＣＵＥ３Ａと同一の無線リソースを共用しているか否かを判定する。スケジューラ３５は、制御対象のＤＵＥ３ＢがＣＵＥ３Ａと同一の無線リソースを共用している場合に、サブフレーム単位の制御フラグ１０３ＡをＯＮに設定する。また、スケジューラ３５は、サブフレーム内の複数のＵＥ３の内、制御対象のＤＵＥ３Ｂが１台でもＣＵＥ３Ａと同一の無線リソースを共用していない場合に、サブフレーム単位の制御フラグ１０３ＡをＯＦＦに設定する。
【００６５】
そして、制御信号生成部７６は、ＤＣＩフォーマット９０Ａにサブフレーム単位の制御フラグ１０３Ａを付加する。送信部２３は、制御フラグ１０３Ａを付加したＤＣＩフォーマット９０Ａを制御対象の各ＤＵＥ３Ｂに送信する。
【００６６】
制御対象の各ＤＵＥ３Ｂは、制御フラグ１０３ＡがＯＮ、かつ、予想受信電力量（Ｐｄ−ＰＬｃ）が閾値Ｔｈ以下の場合、Ｄ２Ｄ通信の送信電力量をＰｄに設定すべく、送信部６３の送信電力を制御する。その結果、Ｄ２Ｄ通信によるＣＵＥ３ＡへのＵＬ信号の信号干渉を低減できる。
【００６７】
制御対象の各ＤＵＥ３Ｂは、制御フラグ１０３ＡがＯＮ、かつ、予想受信電力量（Ｐｄ−ＰＬｃ）が閾値Ｔｈ以下でない場合、Ｄ２Ｄ通信の送信電力量を閾値Ｔｈに設定すべく
、送信部６３の送信電力を制御する。その結果、Ｄ２Ｄ通信によるＣＵＥ３ＡへのＵＬ信号の信号干渉を低減できる。
【００６８】
実施例４のｅＮＢ２は、サブフレーム単位で制御フラグ１０３Ａを設定するため、ＵＥ３単位で制御フラグ１０３を設定する場合に比較してＤＣＩフォーマット９０Ａに制御フラグ１０３Ａを設定する処理の負担を軽減できる。しかも、制御フラグ１０３Ａが１ビットで済むため、ＤＣＩフォーマット９０ＡがDCI format“3”と同様のフォーマット構成
になるため、ＤＵＥ３Ｂ側でのＤＣＩフォーマット検出の細工も不要となる。
【００６９】
尚、上記実施例４では、ＤＣＩフォーマット９０Ａにサブフレーム単位の制御フラグ１０３Ａを付加した。しかしながら、前述した通り、Ｄ２Ｄ通信では不要な制御情報、例えば、New data indicator９６等の代わりに、サブフレーム単位の制御フラグ１０３Ａを割り当てるようにしても良い。
【００７０】
また、上記実施例４では、ＤＣＩフォーマット９０Ａにサブフレーム単位の制御フラグ１０３Ａを付加した。しかしながら、これらに限定されるものではなく、その実施の形態につき、実施例５として以下に説明する。尚、上記実施例１の無線システム１と同一の構成には同一符号を付すことで、その重複する構成及び動作の説明は省略する。
【実施例５】
【００７１】
図１０は、実施例５の制御フラグを付加するＤＣＩフォーマットの一例を示す説明図である。図１０に示すＤＣＩフォーマット９０Ｂにサブフレーム毎の制御フラグ１０３Ｂを付加する。スケジューラ３５は、指定されたサブフレーム毎の無線リソースの共用有無を判定する。スケジューラ３５は、サブフレーム毎の判定結果で制御フラグ１０３Ｂを夫々設定する。制御信号生成部７６は、ＤＣＩフォーマット９０Ｂにサブフレーム毎の制御フラグ１０３Ｂを付加する。つまり、制御信号生成部７６は、指定されたサブフレーム個数分の制御フラグ１０３ＢをＤＣＩフォーマット９０Ｂに付加する。送信部２３は、サブフレーム毎の制御フラグ１０３Ｂを付加したＤＣＩフォーマット９０Ｂを制御対象のＤＵＥ３Ｂに送信する。
【００７２】
制御対象の各ＤＵＥ３Ｂは、自分が使用するサブフレームの制御フラグ１０３ＢがＯＮ、かつ、予想受信電力量（Ｐｄ−ＰＬｃ）が閾値Ｔｈ以下の場合、Ｄ２Ｄ通信の送信電力量をＰｄに設定すべく、送信部６３の送信電力を制御する。その結果、Ｄ２Ｄ通信によるＣＵＥ３ＡへのＵＬ信号の信号干渉を低減できる。
【００７３】
制御対象の各ＤＵＥ３Ｂは、自分が使用するサブフレームの制御フラグ１０３ＡがＯＮ、かつ、予想受信電力量（Ｐｄ−ＰＬｃ）が閾値Ｔｈ以下でない場合、Ｄ２Ｄ通信の送信電力量を閾値Ｔｈに設定すべく、送信部６３の送信電力を制御する。その結果、Ｄ２Ｄ通信によるＣＵＥ３ＡへのＵＬ信号の信号干渉を低減できる。
【００７４】
実施例５のｅＮＢ２は、サブフレーム毎に無線リソースの共用有無を判定し、判定結果毎に制御フラグ１０３Ｂを設定する。ｅＮＢ２は、サブフレーム毎の制御フラグ１０３ＢをＤＣＩフォーマット９０Ｂに付加し、ＤＣＩフォーマット９０Ｂを制御対象のＤＵＥ３Ｂに通知する。その結果、制御対象のＤＵＥ３Ｂは、事前に将来のサブフレームの制御フラグ１０３Ｂを認識できる。制御対象のＤＵＥ３Ｂは、サブフレーム毎の制御フラグ１０３Ｂの内、自分が使用するサブフレームの制御フラグ１０３ＢがＯＮ、かつ、予想受信電力量（Ｐｄ−ＰＬｃ）が閾値Ｔｈ以下の場合、送信電力量をＰｄに設定すべく、送信部６３の送信電力を制御する。その結果、Ｄ２Ｄ通信によるＣＵＥ３ＡへのＵＬ信号の信号干渉を低減できる。
【００７５】
制御対象のＤＵＥ３Ｂは、サブフレーム毎の制御フラグの内、自分が使用するサブフレームの制御フラグ１０３ＢがＯＮ、かつ、予想受信電力量（Ｐｄ−ＰＬｃ）が閾値Ｔｈ以下でない場合、送信電力量が閾値Ｔｈに設定すべく、送信部６３の送信電力を制御する。その結果、Ｄ２Ｄ通信によるＣＵＥ３ＡへのＵＬ信号の信号干渉を低減できる。
【００７６】
尚、上記実施例１では、ＤＵＥ３Ｂ側で制御フラグをＯＮ、かつ、予想受信電力量（Ｐｄ−ＰＬｃ）が閾値Ｔｈ以下の場合、Ｄ２Ｄ通信の送信電力量がＰｄに設定すべく、送信部６３の送信電力を制御した。しかしながら、これに限定されるものではなく、その実施の形態につき、実施例６として以下に説明する。尚、上記実施例１の無線システム１と同一の構成には同一符号を付すことで、その重複する構成及び動作の説明については省略する。
【実施例６】
【００７７】
図１１は、実施例６の通信制御処理に関わるＤＵＥ３Ｂの処理動作の一例を示すフローチャートである。図１１においてＤＵＥ３Ｂの通信制御部８１は、Ｄ２Ｄ通信の送信電力量Ｐｄを算出し（ステップＳ２１）、制御フラグ１０３がＯＮであるか否かを判定する（ステップＳ２２）。通信制御部８１は、制御フラグ１０３がＯＮの場合（ステップＳ２２肯定）、Ｄ２Ｄ通信を中止し（ステップＳ２３）、図１１に示す処理動作を終了する。尚、通信制御部８１は、Ｄ２Ｄ通信のデータ信号生成部７５、制御信号生成部７６やＲＳ生成部７７を停止することでＤ２Ｄ通信を中止する。
【００７８】
通信制御部８１は、制御フラグ１０３がＯＮでない場合（ステップＳ２２否定）、Ｄ２Ｄ通信の送信電力量をＰｄに設定すべく、送信部６３の送信電力を制御してＤ２Ｄ通信を実行し（ステップＳ２４）、図１１に示す処理動作を終了する。
【００７９】
図１１に示す通信制御処理を実行するＤＵＥ３Ｂは、制御フラグ１０３がＯＮの場合、送信電力を制御することなく、Ｄ２Ｄ通信を中止する。その結果、Ｄ２Ｄ通信によるＣＵＥ３ＡへのＵＬ信号の信号干渉を低減できる。
【００８０】
実施例５のＤＵＥ３Ｂは、制御フラグ１０３がＯＮの場合、送信電力を制御することなく、Ｄ２Ｄ通信を中止する。その結果、Ｄ２Ｄ通信によるＣＵＥ３ＡへのＵＬ信号の信号干渉を低減できる。
【００８１】
尚、上記実施例１では、ＤＵＥ３Ｂ側で制御フラグ１０３がＯＮ、かつ、予想受信電力量（Ｐｄ−ＰＬｃ）が閾値Ｔｈ以下の場合、Ｄ２Ｄ通信の送信電力量がＰｄに設定すべく、送信部６３の送信電力を制御する。しかしながら、これに限定されるものではなく、その実施の形態につき、実施例７として以下に説明する。尚、上記実施例１の無線システム１と同一の構成には同一符号を付すことで、その重複する構成及び動作の説明については省略する。
【実施例７】
【００８２】
図１２は、実施例７の通信制御処理に関わるＤＵＥ３Ｂの処理動作の一例を示すフローチャートである。図１２においてＤＵＥ３Ｂ内の通信制御部８１は、Ｄ２Ｄ通信の送信電力量Ｐｄを算出し（ステップＳ３１）、制御フラグ１０３がＯＮであるか否かを判定する（ステップＳ３２）。通信制御部８１は、制御フラグ１０３がＯＮの場合（ステップＳ３２肯定）、ｅＮＢ２ＡとのパスロスＰＬｃを算出する（ステップＳ３３）。
【００８３】
通信制御部８１は、予想受信電力量（Ｐｄ−ＰＬｃ）が閾値Ｔｈ以下であるか否かを判定する（ステップＳ３４）。通信制御部８１は、予想受信電力量（ＰＤ−ＰＬｃ）が閾値Ｔｈ以下の場合（ステップＳ３４肯定）、Ｄ２Ｄ通信の送信電力量をＰｄに設定すべく、
送信部６３内の送信電力を制御してＤ２Ｄ通信を実行し（ステップＳ３５）、図１２に示す処理動作を終了する。
【００８４】
通信制御部８１は、予想受信電力量（Ｐｄ−ＰＬｃ）が閾値Ｔｈ以下でない場合（ステップＳ３４否定）、Ｄ２Ｄ通信を中止し（ステップＳ３６）、図１２に示す処理動作を終了する。尚、通信制御部８１は、データ信号生成部７５、制御信号生成部７６やＲＳ生成部７７を停止し、Ｄ２Ｄ通信を中止する。
【００８５】
通信制御部８１は、制御フラグ１０３がＯＮでない場合（ステップＳ３２否定）、Ｄ２Ｄ通信の送信電力量をＰｄに設定すべく、送信部６３内の送信電力を制御してＤ２Ｄ通信を実行し（ステップＳ３７）、図１２に示す処理動作を終了する。
【００８６】
図１２に示す通信制御処理を実行するＤＵＥ３Ｂは、制御フラグ１０３がＯＮ、かつ、予想受信電力量（Ｐｄ−ＰＬｃ）が閾値Ｔｈ以下の場合、Ｄ２Ｄ通信の送信電力量がＰｄに設定すべく、送信部６３内の送信電力を制御する。その結果、Ｄ２Ｄ通信によるＣＵＥ３ＡのＵＬ信号への信号干渉を低減できる。
【００８７】
ＤＵＥ３Ｂは、制御フラグ１０３がＯＮ、かつ、予想受信電力量（Ｐｄ−ＰＬｃ）が閾値Ｔｈ以下でない場合、Ｄ２Ｄ通信を中止する。その結果、Ｄ２Ｄ通信によるＣＵＥ３ＡのＵＬ信号への信号干渉を低減できる。
【００８８】
実施例７のＤＵＥ３Ｂは、制御フラグ１０３がＯＮ、かつ、予想受信電力量（Ｐｄ−ＰＬｃ）が閾値Ｔｈ以下の場合、Ｄ２Ｄ通信の送信電力量がＰｄに設定すべく、送信部６３内の送信電力を制御する。その結果、Ｄ２Ｄ通信によるＣＵＥ３ＡのＵＬ信号への信号干渉を低減できる。
【００８９】
ＤＵＥ３Ｂは、制御フラグ１０３がＯＮ、かつ、予想受信電力量（Ｐｄ−ＰＬｃ）が閾値Ｔｈ以下でない場合、Ｄ２Ｄ通信を中止する。その結果、Ｄ２Ｄ通信によるＣＵＥ３ＡのＵＬ信号への信号干渉を低減できる。
【００９０】
尚、上記実施例では、説明の便宜上、ＵＥ３が、ＣＵＥ３Ａ及びＤＵＥ３Ｂの機能を切替可能にする移動局として説明した。しかしながら、例えば、ＤＵＥ３Ｂとしての機能しか備えていない移動局にも適用可能である。
【００９１】
また、本実施例のｅＮＢ２は、無線機能及び制御機能を有する一体装置で説明したが、これに限定されるものではなく、無線装置と制御装置とを個別にしてｅＮＢを構成するようにしても良い。この場合、無線装置は、アンテナ１１及びＲＦ回路１２を内蔵し、制御装置は、メモリ１３及びプロセッサ１４を内蔵するものとする。
【００９２】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００９３】
更に、各装置で行われる各種処理機能は、ＣＰＵ（Central Processing Unit）（又は
ＭＰＵ（Micro Processing Unit）、ＭＣＵ（Micro Controller Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００９４】
１  無線システム
２  ｅＮＢ  
３  ＵＥ
３Ａ  ＣＵＥ
３Ｂ  ＤＵＥ
３５  スケジューラ
４２  位置判定部
６２  受信部
６３  送信部
８１  通信制御部
【図１】
2019004526.tif 000004
【図２】
2019004526.tif 000005
【図３】
2019004526.tif 000006
【図４】
2019004526.tif 000007
【図５】
2019004526.tif 000008
【図６】
2019004526.tif 000009
【図７】
2019004526.tif 000010
【図８】
2019004526.tif 000011
【図９】
2019004526.tif 000012
【図１０】
2019004526.tif 000013
【図１１】
2019004526.tif 000014
【図１２】
2019004526.tif 000015